(57)【要約】【課題】  背ライナを内蔵した背当て部材の背面から大人の腰まで腰紐部材を巻き受けるので、背当て部材の背負い姿勢を不動にできるようにする。【解決手段】  背ライナ３が内蔵されていて子供の背中に宛がい可能な背当て部材４と、この背当て部材４の左右側部に連結されていて大人の肩に巻き掛け可能な肩掛け紐５Ｌ、５Ｒと、前記背当て部材４の下部から延設されていて背当て部材４の背面に当接可能な下当て部材６と、この下当て部材６の先端側に連結されていて前記背当て部材４の背面に当接した下当て部材６の背面から大人の腰まで巻き付け可能な腰紐部材７とを有する。【選択図】図１
2020081232.tif 000002
【特許請求の範囲】
【請求項１】
背ライナ（３）が内蔵されていて子供の背中に宛がい可能な背当て部材（４）と、
この背当て部材（４）の左右側部に連結されていて大人の肩に巻き掛け可能な肩掛け紐（５Ｌ、５Ｒ）と、
前記背当て部材（４）の下部から延設されていて背当て部材（４）の背面に当接可能な下当て部材（６）と、
この下当て部材（６）の先端側に連結されていて前記背当て部材（４）の背面に当接した下当て部材（６）の背面から大人の腰まで巻き付け可能な腰紐部材（７）とを有することを特徴とするキッズキャリア。
【請求項２】
前記背当て部材（４）と下当て部材（６）との間に、下当て部材（６）を背当て部材（４）の背面に当接した状態を保持する保持具（８）を有することを特徴とする請求項１に記載のキッズキャリア。
【請求項３】
前記腰紐部材（７）の中央部の幅（Ｗ）は、背当て部材（４）の背面に当接した下当て部材（６）の背面を略覆う幅になっており、
前記下当て部材（６）は腰紐部材（７）との接続側から背当て部材（４）との接続側に向けて幅（Ｔ）が次第に狭くなっていることを特徴とする請求項１又は２に記載のキッズキャリア。
【請求項４】
前記背当て部材（４）の背ライナ（３）の下部には子供の尾てい骨に対向する尾ライナ（９）が下方へ延設されていることを特徴とする請求項１〜３のいずれか１項に記載のキッズキャリア。
【請求項５】
前記背当て部材（４）は、背ライナ（３）が合成樹脂で形成され、背ライナ（３）の正面を多孔性の生地（１０）で覆っており、前記背ライナ（３）は背面から正面に貫通する通気孔（１２）を複数形成していることを特徴とする請求項１〜４のいずれか１項に記載のキッズキャリア。
【請求項６】
前記左右各肩掛け紐（５Ｌ、５Ｒ）は、大人の肩に巻き掛け可能な寸法から子供の肩に巻き掛け可能な寸法まで寸法調整可能になっていることを特徴とする請求項１〜５のいずれか１項に記載のキッズキャリア。
【請求項７】
前記背当て部材（４）の上部にヘッドレスト（１３）を着脱自在に装着していることを特徴とする請求項１〜６のいずれか１項に記載のキッズキャリア。
【発明の詳細な説明】
【技術分野】
【０００１】
本発明は、大人が子供をおんぶする際に使用可能なキッズキャリアに関する。
【背景技術】
【０００２】
乳幼児を含む子供を大人が同伴移動する場合、抱っこ紐を使って抱っこする、または、おんぶ紐を使っておんぶすることになる。抱っこ紐、おんぶ紐等のキッズキャリアとして、特許文献１に開示された抱っこ紐がある。
この従来の抱っこ紐は、子供の背中に宛がい可能な背当て部と、この背当て部の左右縁に連結されていて子供の肩から大人の肩まで巻き掛け可能な肩掛け紐と、この背当て部の下部に連結されていて大人の腰に巻き付け可能な腰紐部とを有する。
【０００３】
また、特許文献２に開示された子守帯は、乳幼児の頭部および身体部を背面側からサポートする本体部を有し、この本体部は、キャリア本体部とヘッドサポートとを有している。キャリア本体部は乳幼児の腹部、股部および背部をそれぞれ支持するための前当て部、幅の狭い股当て部および背当て部を一体に連設して形成されている。背当て部の上部左右端には、上方に延びる肩掛けベルトの一端が連結されている。この肩掛けベルト上には、同様に帯状領域が縫合されている。・・・帯状領域は、背当て部の左右端面に沿って下方に延びるとともに、股当て部の中央で交差してさらに前当て部の下方まで延びており、帯状領域の本体部内の部分は、本体部上に縫合されている（公報段落００１４〜００１６）。
【先行技術文献】
【特許文献】
【０００４】
【特許文献１】特開２０１３−１１６１６６号公報
【特許文献２】特開２００１−３２７３６９号公報
【発明の概要】
【発明が解決しようとする課題】
【０００５】
前記前者従来技術は、背当て部の下部が乳幼児の臀に当接し、腰紐部は大人の腹及び腰に巻き付けられるものであり、体重の軽い乳幼児を抱っこすることはできるが、背負い姿勢（おんぶ）にするには、背当て部の中途部と腰紐部とが離れるので、背当て部が不安定になり、おんぶが困難になる。
また、子供が大きくなって体重が増えてくると、長時間にわたって全体重をおんぶすることは困難になり、座席に着座したときには、子供の体重を座席に預ける必要があり、前記前者従来技術の抱っこ紐では、背当て部の下部が乳幼児の臀部に当接するので、子供の体重を座席に預けながらおんぶをすることは困難である。
【０００６】
前記後者従来技術は、肩掛けベルトの上部がキャリア本体部とヘッドサポートとに連結されていて、乳幼児の背部及び頭部を良く拘束保護することはできるが、肩掛けベルトの下部は股当て部の中央で交差してさらに前当て部の下方に延びているので、乳幼児の腰及び臀の拘束保護はやり難く、しかも大人の腰に巻き掛けるベルトがないため、乳幼児の腹を大人の背中に密着させかつそれを維持するのは困難になっている。
【０００７】
本発明は、このような従来技術の問題点を解決できるようにしたキッズキャリアを提供することを目的とする。
本発明は、背ライナを内蔵した背当て部材の背面から大人の腰まで腰紐部材を巻き受けて、背当て部材の背負い姿勢を不動にできるようにしたキッズキャリアを提供することを目的とする。
【課題を解決するための手段】
【０００８】
本発明における課題解決のための具体的手段は、次の通りである。
第１に、背ライナ３が内蔵されていて子供の背中に宛がい可能な背当て部材４と、
この背当て部材４の左右側部に連結されていて大人の肩に巻き掛け可能な肩掛け紐５Ｌ、５Ｒと、
前記背当て部材４の下部から延設されていて背当て部材４の背面に当接可能な下当て部材６と、
この下当て部材６の先端側に連結されていて前記背当て部材４の背面に宛がった下当て部材６の背面から大人の腰まで巻き付け可能な腰紐部材７とを有することを特徴とする。
【０００９】
第２に、前記背当て部材４と下当て部材６との間に、下当て部材６を背当て部材４の背面に当接した状態を保持する保持具８を有することを特徴とする。
第３に、前記腰紐部材７の中央部の縦幅Ｗは、背当て部材４の背面に当接した下当て部材６の背面を略覆う幅になっており、
前記下当て部材６は腰紐部材７との接続側から背当て部材４との接続側に向けて横幅Ｔが次第に狭くなっていることを特徴とする。
【００１０】
第４に、前記背当て部材４の背ライナ３の下部には子供の尾てい骨に対向する尾ライナ９が下方へ延設されていることを特徴とする。
第５に、前記背当て部材４は、背ライナ３が合成樹脂で形成され、背ライナ３の正面を多孔性の生地１０で覆っており、前記背ライナ３は背面から正面に貫通する通気孔１２を複数形成していることを特徴とする。
【００１１】
第６に、前記左右各肩掛け紐５Ｌ、５Ｒは、大人の肩に巻き掛け可能な寸法から子供の肩に巻き掛け可能な寸法まで寸法調整可能になっていることを特徴とする。
第７に、前記背当て部材４の上部にヘッドレスト１３を着脱自在に装着していることを特徴とする。
【発明の効果】
【００１２】
本発明によれば、背ライナを内蔵した背当て部材の背面から大人の腰まで腰紐部材を巻き受けるので、背当て部材の背負い姿勢を不動にすることができる。
即ち、請求項１に係る発明は、背ライナ３を内蔵した背当て部材４に下当て部材６を延設し、この下当て部材６の先端側にその背面から大人の腰まで巻き付け可能な腰紐部材７を設けているので、背当て部材４の背面から大人の腰まで腰紐部材７を巻き付けることができ、大人に対して、背負う子供を支える背当て部材４の背負い姿勢を安定化でき、大人の背中から離れようとする背当て部材４の動きを抑制でき、大人の背中に子供を確実にホールドしておくことができる。
【００１３】
請求項２に係る発明は、保持具８によって背当て部材４の背面に下当て部材６を当接した状態に確実に保持することができ、これにより背当て部材４の背面下部に下当て部材６を介在させてその背面に腰紐部材７を巻き付けておくことができる。
請求項３に係る発明は、腰紐部材７の中央部を、背当て部材４の背面に当接した下当て部材６の背面に宛がったときに、腰紐部材７で下当て部材６を隠すことができ、背当て部材４の下端から下当て部材６を前方へ突出しかつ下当て部材６の先端から前方へ腰紐部材７を突出した場合に、下当て部材６は子供の股に宛がうことができ、子供の足は下当て部材６の横幅Ｗの狭い部分に対応するので、子供の足を圧迫するのを軽減できる。
【００１４】
請求項４に係る発明は、背ライナ３の下部に尾ライナ９を設けているので、子供の背骨の下端までライナで保護することができる。
請求項５に係る発明は、背当て部材４は、合成樹脂製の背ライナ３の正面を多孔性の生地１０で覆っており、背ライナ３に背面から正面に貫通する通気孔１２を複数形成しているので、背当て部材４の通気性を良好にできる。
【００１５】
請求項６に係る発明は、左右各肩掛け紐５Ｌ、５Ｒは、大人の肩に巻き掛け可能な寸法から子供の肩に巻き掛け可能な寸法まで寸法調整可能になっているので、左右肩掛け紐５Ｌ、５Ｒを子供の肩を通過して大人の肩にまで巻き掛ける形態と、子供の肩だけに巻き掛ける形態とを採らせることができる。
請求項７に係る発明は、背当て部材４の上部にヘッドレスト１３を着脱自在に装着しているので、子供がヘルメットを着用していないときに、ヘッドレスト１３を装着して、子供の頭の保護を確保できる。
【図面の簡単な説明】
【００１６】
【図１】本発明の実施形態を示すキッズキャリアのおんぶ形態の側面図である。
【図２】キッズキャリアのおんぶ形態の後方斜視図である。
【図３】キッズキャリアのおんぶ形態の平面載置状態の正面図である。
【図４】キッズキャリアの展開した平面載置状態の正面図である。
【図５】キッズキャリアの展開した平面載置状態の背面図である。
【図６】背ライナ及びレストライナの正面図である。
【図７】図６のＸ−Ｘ線断面図である。
【図８】キッズキャリアの抱っこ形態の前方斜視図である。
【図９】キッズキャリアの抱っこ形態の側面図である。
【発明を実施するための形態】
【００１７】
以下、本発明の実施の形態を図面に基づいて説明する。
キッズキャリア１は平面上に載置して展開した状態を図４、５に示し、子供をおんぶするときの形態を図１、２に示し、前記おんぶするときの形態を平面上に載置した状態を図３に示している。
図１〜５において、キッズキャリア１は、子供の背中に宛がい可能な背当て部材４と、この背当て部材４の左右側部に連結されている左右肩掛け紐５Ｌ、５Ｒと、前記背当て部材４の下部材から延設されている下当て部材６と、この下当て部材６を背当て部材４の背面に当接した状態を保持する保持具８と、前記下当て部材６の先端側に連結されている腰紐部材７と、前記下当て部材６と腰紐部材７との連結箇所に同じく連結されている胴紐部材１１と、前記背当て部材４の上部に着脱自在に装着されるヘッドレスト１３とを備えている。
【００１８】
前記背当て部材４は背ライナ３を内蔵している。背ライナ３は正面視が子供の背中と略対応する略楕円形状であり、平面視で左右両側から中央へ凹む円弧形状であり、織物、編み物等の生地製の背カバー４ａで覆っている。背ライナ３の正面を覆う背カバー４ａは、左右両側と中央部とが別生地で形成されており、中央部は多孔性（網目状）の生地１０であって、通気性を確保している。
【００１９】
前記背ライナ３は合成樹脂で形成され、図６、７に示すように、ライナ本体３ａはクッション性のある発泡スチロール等の発泡樹脂で形成され、このライナ本体３ａの背面に添設した薄いライナシェル３ｂはポリプロピレン等の硬質樹脂で形成されている。ライナシェル３ｂの中央部には長円形のシェル開口３ｃが形成され、ライナ本体３ａの背面が露出されている。
【００２０】
前記背当て部材４の背ライナ３の下部には子供の尾てい骨に対向する尾ライナ９が下方へ延設されており、背当て部材４は子供の首付近から尾てい骨付近まで保護可能になっている。子供が乳幼児の場合は、頭が背当て部材４の上部で保護可能になる。
前記背ライナ３は、ライナシェル３ｂが添設されている部分には、背面から正面に貫通する通気孔１２が複数形成されており、長円形のシェル開口３ｃを通る空気流通路を形成している。
【００２１】
前記シェル開口３ｃ、ライナ本体３ａの背面とライナシェル３ｂとの間の隙間、背ライナ３の通気孔１２及び覆う背カバー４ａの多孔性の生地１０等によって、背当て部材４の通気性が良好になるようにしている。
前記背ライナ３の上部には箱形状のロック受け部材１６が嵌め込まれており、ヘッドレスト１３の下部に設けたロック差込部材１７を差し込んで、ヘッドレスト１３を背ライナ３に装着できるようにしている。
【００２２】
ロック受け部材１６及びロック差込部材１７は共に合成樹脂で形成されており、ロック受け部材１６の天壁には係合凹部１６ａが形成され、ロック差込部材１７の天壁には前記係合凹部１６ａに係脱自在に係合する係合片１７ａが形成されており、前記係合片１７ａは人指で押し下げることによって下向き移動可能であって、下向き移動することにより係合凹部１６ａから離脱することができる。
【００２３】
前記ヘッドレスト１３は子供の頭の背面と左右側面とを覆う平面視コ字形状であって背ライナ３と同様に、発泡樹脂のレスト本体１３ａの背面にレストシェル１３ｂを添設しており、レスト本体１３ａの正面からレスト本体１３ａ及びレストシェル１３ｂの外周部を覆うように生地製のレストカバー１３ｃを設けている。レストカバー１３ｃの左右方向中央部は多孔性の生地で形成されている。
【００２４】
前記ロック差込部材１７は、レスト本体１３ａの下部に後方から挿入して、レストカバー１３ｃから前方へ突出させている。
背当て部材４の周囲部には左右側部の上下部に計４箇所の係合孔１８が形成されている。左の上係合孔１８には左肩掛け紐５Ｌの上紐Ｌｕが連結され、左の下係合孔１８には左肩掛け紐５Ｌの下紐Ｌｄが連結され、右の上係合孔１８には右肩掛け紐５Ｒの上紐Ｒｕが連結され、右の下係合孔１８には右肩掛け紐５Ｒの下紐Ｒｄが連結されている。
【００２５】
左右各上紐Ｌｕ、Ｒｕの先端には雄バックルＭが設けられ、左右各下紐Ｌｄ、Ｒｄには雌バックルＦが設けられ、上紐Ｌｕ、Ｒｕの雄バックルＭと下紐Ｌｄ、Ｒｄの雌バックルＦとはワンタッチで雌雄連結とその解除が可能になっている。
前記左右各上紐Ｌｕ、Ｒｕには、紐より幅広でかつクッション性のある肩当て部材１９が上紐長手方向に沿って添設されている。また、左右上紐Ｌｕ、Ｒｕの長手方向中途部には、横架設紐２０が連結されている。左右の横架設紐２０は雌雄バックルＭ、Ｆを有し、ワンタッチにより連結・解除可能になっている。
【００２６】
前記左右各肩掛け紐５Ｌ、５Ｒは、大人の肩に巻き掛け可能な寸法から子供の肩に巻き掛け可能な寸法まで寸法調整可能になっている。
前記背当て部材４の左右の下係合孔１８の近傍には、背カバー４ａの背面に保持具８を構成する雄ホック８ａが設けられ、この雄ホック８ａに係脱自在に係合する雌ホック８ｂが下当て部材６の下部に設けられている。
【００２７】
下当て部材６は展開正面視で略台形状であり、幅狭部分（基部側）が背当て部材４の下部に縫合（逢着）により連結されており、幅広部分（先端側）が腰紐部材７の上部に縫合（逢着）により連結されており、表裏２枚の布材で形成され、表布は背カバー４ａと同様の多孔性の生地で形成されている。
前記下当て部材６は腰紐部材７との接続側から背当て部材４との接続側に向けて横幅Ｔが次第に狭くなっていることにより、幅広縁は腰紐部材７との逢着長さを確保しおり、幅狭領域では子供の股下に入り、子供の足との接触を可及的に回避できるようにしている。
【００２８】
前記下当て部材６は、展開状態のように背当て部材４から下方に垂れ下がる形態（抱っこ形態）と、背当て部材４から背面側に畳んで、背当て部材４の背面に宛がう形態（おんぶ形態）とを採ることができ、背当て部材４の背面に宛がう形態を採るときに、下当て部材６の保持具８の雌ホック８ｂは背カバー４ａの雄ホック８ａと係合する。
前記保持具８は雌雄ホックの代わりに、面ファスナ、チャック、ボタン等でもよく、下当て部材６を背当て部材４の背面に当接して、その状態を保持、維持できればよい。下当て部材６を背当て部材４の背面に当接してその状態を保持すると、腰紐部材７を背当て部材４の背面側に宛がうことになり、背当て部材４に対する腰紐部材７の位置を確定することができる。
【００２９】
腰紐部材７は背当て部材４の背面に当接した下当て部材６の背面から子供を背負う大人の腰まで巻き付けられるものであり、クッション材を表裏２枚の布材で挟んでおり、表布は背カバー４ａと同様の多孔性の生地で形成されている。
腰紐部材７の下当て部材６と連結される中央部は縦幅Ｗが広く、中央部から両端にいくに従って幅狭になっており、その一端には紐材２１を介して雄バックルＭが設けられ、他端には雌バックルＦが設けられており、ワンタッチで雌雄連結とその解除が可能になっている。
【００３０】
前記腰紐部材７の中央部の縦幅Ｗは、背当て部材４の背面に当接した下当て部材６の上下長さと略同じになり、背当て部材４の背面に当接した下当て部材６の背面に腰紐部材７の中央部を宛がったときに、腰紐部材７で下当て部材６を略隠すことができ、また、縦幅Ｗが比較的広いことにより背当て部材４の下部を拘束するのに、安定性、確実性を高めることにもなる。
【００３１】
腰紐部材７の中央部に対向して胴紐部材１１が配置されている。この胴紐部材１１は落下を防止するために子供の胴に巻き付けるものであって、紐材１１ａの一端に雄バックルＭを設け、紐材１１ａの他端にリング部１１ｂを形成し、紐材１１ａを子供の胴に巻に巻き、一端の雄バックルＭを他端のリング部１１ｂに挿通し、その雄バックルＭを下当て部材６と腰紐部材７との連結箇所に設けた雌バックルＦに雌雄連結する。
【００３２】
腰紐部材７は、下当て部材６と腰紐部材７との連結箇所に下方開放の衣袋２３が設けられており、連結した雌雄バックルＭ、Ｆは露出しないようにこの衣袋２３内に納められており、雌雄バックルＭ、Ｆが人肌に触れないようにしている。
前記キッズキャリア１は、図５に示す展開状態から、下当て部材６を背当て部材４の背面に重ねて保持具８の雌雄ホック８ａ、８ｂを係合し、下当て部材６の背面に腰紐部材７を重ねて宛がい、図３に示すおんぶ形態にする。
【００３３】
キッズキャリア１をおんぶ形態にした後、まず、胴紐部材１１を子供の胴に巻き付け、その雄バックルＭを雌バックルＦに連結しておき、次におんぶ形態のキッズキャリア１を子供の背中に宛がい、大人の背中に子供をおんぶしながら、左右肩掛け紐５Ｌ、５Ｒを大人の肩に掛け、また、腰紐部材７を大人の腰に巻き付け、その後に、横架設紐２０を連結し、図１、２に示すおんぶ形態にする。
【００３４】
前記左右肩掛け紐５Ｌ、５Ｒは長さを短くして、子供の肩に掛けるようにすることができ、これは大人の背中に子供をおんぶする前に行うことができ、子供に対するキッズキャリア１の装着が容易にでき、大人も腰紐部材７を腰に巻き付けるだけになり、おんぶ形態への移行が容易になる。
前記おんぶ形態では、腰紐部材７の幅広中央部分が背当て部材４の下部を押さえて、背当て部材４で子供の腰及び腹部を大人の背中に宛がうことになり、子供の腹を大人の背中に密着させてホールドし、おんぶ姿勢を不動にすることができ、背当て部材４の下部の尾ライナ９が子供の尾てい骨に対向して、子供に対する背当て部材４の上向きズレ動きが抑制される。
【００３５】
また、前記おんぶ形態では、腰紐部材７は子供の足より上方に位置し、子供の臀下面は腰紐部材７の下方に露出することになり、図１に示すように、同一の座席Ｓに大人と子供とが座ったとき、子供の体重を座席Ｓに預けることが可能になる。
キッズキャリア１は、保持具８を使用しない図５の展開状態で抱っこ形態にして、背当て部材４を子供の背中に宛がい、下当て部材６を子供の股下に入れ、その状態で、大人の正面に子供を抱きながら、腰紐部材７を大人の腰に巻き付ける。
【００３６】
また、左右一方または両方の肩掛け紐５Ｌ、５Ｒの雌雄バックルＭ、Ｆを離脱し、かつ左右上紐Ｌｕ、Ｒｕを横架設紐２０で連結しておき、この左右上紐Ｌｕ、Ｒｕ及び横架設紐２０を大人が被るようにして肩に掛け、その後に離脱していた肩掛け紐５Ｌ、５Ｒの雌雄バックルＭ、Ｆを係合して、左右肩掛け紐５Ｌ、５Ｒを大人の肩に掛ける（図８に示す抱っこ形態。）。
【００３７】
この抱っこ形態では、腰紐部材７は大人の腹及び腰にのみ巻き付けられ、子供の腰を拘束することはなく、下当て部材６が子供の股下に入って全体重を支えることになり、子供の足は下当て部材６の横幅Ｔの狭い箇所から外に出すことにより、足への圧迫は発生せず、子供を抱っこ姿勢で安定させることができる。
なお、本発明は前記実施形態に限定されるものではなく、部材の形状、構成及び組み合わせ等を変更したりすることもできる。
【００３８】
例えば、背ライナ３のライナ本体３ａとライナシェル３ｂとを一体成形したり、ヘッドレスト１３のレスト本体１３ａとレストシェル１３ｂとを一体成形したりしてもよい。
下当て部材６の横幅Ｔを腰紐部材７との接続側から背当て部材４との接続側まで略同幅にしてもよい。
左右肩掛け紐５Ｌ、５Ｒ、腰紐部材７、横架設紐２０等に設けられている雄バックルＭと雌バックルＦとを雌雄逆にしてもよい。
【００３９】
保持具８を構成する雄ホック８ａと雌ホック８ｂとを雌雄逆にしてもよい。
【符号の説明】
【００４０】
１          キッズキャリア
３          背ライナ
４          背当て部材
４ａ        背カバー
５Ｌ，５Ｒ  肩掛け紐
６          下当て部材
７          腰紐部材
８          保持具
８ａ        雄ホック
８ｂ        雌ホック
９          尾ライナ
１０        生地
１１        胴紐部材
１３        ヘッドレスト
１６        ロック受け部材
１７        ロック差込部材
１８        係合孔
２０        横架設紐
Ｆ          雌バックル
Ｍ          雄バックル
Ｓ          座席
Ｔ          横幅
Ｗ          縦幅
【図１】
2020081232.tif 000003
【図２】
2020081232.tif 000004
【図３】
2020081232.tif 000005
【図４】
2020081232.tif 000006
【図５】
2020081232.tif 000007
【図６】
2020081232.tif 000008
【図７】
2020081232.tif 000009
【図８】
2020081232.tif 000010
【図９】
2020081232.tif 000011